(57)【要約】【課題】従来のスチーム効果のある燃焼式毛髪整形器を使用して、短時間で手軽に形状記憶パーマに施術できる方法を提供する。【解決手段】還元作用によって軟化した毛髪への酸化作用と加熱効果を同時に施術することによって施術時間短縮と加熱による毛髪損傷を軽減でき、手軽に形状記憶パーマを施術できる方法を特徴とする。【選択図】図１
2007330422.tif 000002
【特許請求の範囲】
【請求項１】
毛髪へ毛髪還元剤を塗布する事による還元作用によって毛髪を軟化させ、毛髪を軟化後、毛髪に塗布された前記毛髪還元剤を洗い流した後、毛髪に含まれた水分を乾かし、スチーム機能と防錆効果を備えたワインディング用の加熱式毛髪整形器の水溶液貯蔵タンクに毛髪酸化剤を希釈した水溶液を注入後、前記加熱式毛髪整形器に毛髪をワインディングし、前記加熱式毛髪整形器の加熱とスチーム機能での毛髪酸化剤蒸発による毛髪への浸透の同時作業を行い、前記同時作業による相乗効果によって毛髪の加熱整形と酸化作用を促進させ、ワインディングの形状を記憶させることを特徴とする形状記憶パーマの施術方法。
【請求項２】
毛髪へ毛髪還元剤を塗布する事による還元作用によって毛髪を軟化させ、毛髪を軟化後、毛髪に塗布された前記毛髪還元剤を洗い流した後、毛髪に含まれた水分を乾かし、スチーム機能と防錆効果を備えたワインディング用の加熱式毛髪整形器の水溶液貯蔵タンクに毛髪酸化剤を希釈した水溶液を注入後、前記加熱式毛髪整形器に毛髪をワインディングし、前記加熱式毛髪整形器にワインディングされた毛髪に防錆効果と防熱効果のあるクリップを包み被せ、前記加熱式毛髪整形器の加熱とスチーム機能での毛髪酸化剤蒸発による毛髪への浸透の同時作業を行い、前記同時作業による相乗効果によって毛髪の加熱整形と酸化作用を促進させ、ワインディングの形状を記憶させることを特徴とする形状記憶パーマの施術方法。
【発明の詳細な説明】
【技術分野】
【０００１】
この発明は、短い時間で手軽に形状記憶パーマを施せる技術に関するものである。
【背景技術】
【０００２】
従来、加熱式毛髪整形器が存在するが、形状記憶パーマとして使用するものではなく、毛髪一束分のワインディング施術に対して、その一箇所ごとに加熱筒を直接毛髪に高温加熱する事により、一時的整形を施すものである。（例えば、非特許文献１参照。）。
【０００３】
従来、形状記憶パーマは、毛髪還元剤によって毛髪を還元後、前記毛髪還元剤を洗い流した後に乾かし、その後６０℃〜１００℃で２０分程度加熱した後に酸化剤を塗布し、１０分程度放置する。（例えば、非特許文献２参照。）。
【非特許文献１】「ビダルサスーンヘアスタイルブック」小泉成器株式会社，２００５年，ｐ，１３及び１４
【非特許文献２】「さらに進化した、デジタルフリー」株式会社パイモア，２００５年，デジタルフリーパンフレット両面
【発明の開示】
【発明が解決しようとする課題】
【０００４】
上記文献に示された形状記憶パーマには次のような欠点があった。
従来の加熱式毛髪整形器によって形状記憶パーマを施術した場合、毛髪を還元作用によって軟化させ、毛髪を乾かした後、毛髪へ２０分程度低温加熱した後、毛髪酸化剤を塗布して更に１０分程度放置する為に、施術に相当な時間が費やされる。上記に鑑み、本発明では作業工程の短縮によって時間短縮する形状記憶パーマの施術方法を提供する。
【課題を解決するための手段】
【０００５】
本発明に係る形状記憶パーマの施術方法は、毛髪へ毛髪還元剤を塗布する事による還元作用によって毛髪を軟化させ、毛髪を軟化後、毛髪に塗布された前記毛髪還元剤を洗い流し後、毛髪に含まれた水分を乾かし、スチーム機能と防錆効果を備えたワインディング用の加熱式毛髪整形器の水溶液貯蔵タンクに毛髪酸化剤を希釈した水溶液を注入後、前記加熱式毛髪整形器に毛髪をワインディングし、前記加熱式毛髪整形器の加熱とスチーム機能での毛髪酸化剤蒸発による毛髪への浸透の同時作業を行い、前記同時作業による相乗効果によって毛髪の加熱整形と酸化作用を促進させ、ワインディングの形状を記憶させることを特徴とする。
【０００６】
また、毛髪へ毛髪還元剤を塗布する事による還元作用によって毛髪を軟化させ、毛髪を軟化後、毛髪に塗布された前記毛髪還元剤を洗い流し後、毛髪に含まれた水分を乾かし、スチーム機能と防錆効果を備えたワインディング用の加熱式毛髪整形器の水溶液貯蔵タンクに毛髪酸化剤を希釈した水溶液を注入後、前記加熱式毛髪整形器に毛髪をワインディングし、前記加熱式毛髪整形器にワインディングされた毛髪に防錆効果と防熱効果のあるクリップを包み被せ、前記加熱式毛髪整形器の加熱とスチーム機能での毛髪酸化剤蒸発による毛髪への浸透の同時作業を行い、前記同時作業による相乗効果によって毛髪の加熱整形と酸化作用を促進させ、ワインディングの形状を記憶させることを特徴とする。
【発明の効果】
【０００７】
請求項１または請求項２に記載の加熱式毛髪整形器による加熱整形と、毛髪酸化剤のスチーム効果による酸化作用促進によって、従来の形状記憶パーマに必要な一定時間低温による加熱整形と毛髪酸化剤塗布の同時施術が行え、加熱整形時間自体も短縮されるので、施術時間の短縮と加熱による毛髪損傷が軽減する事ができる。
【０００８】
請求項２に記載のクリップを包み被せる事により、ワインディングした毛髪全体へ均一に低温加熱が行われ、同時に防熱効果により火傷を防ぎ、前記スチーム機能を備えた加熱式毛髪整形器の水溶液貯蔵タンクに注入した毛髪酸化剤の水溶液が、加熱によって噴出す蒸気を毛髪全体へ均一に浸透させる事ができ、よりワインディングによる形状記憶効果を促進させる事ができる。
【発明を実施するための最良の形態】
【０００９】
以下、本発明の実施の形態を実施例となる図面に基づき説明する。
図１で示された毛髪の縮毛矯正や形状記憶パーマに使用される毛髪還元剤を毛髪に塗布する事による毛髪の軟化作業１を行い、毛髪還元剤が毛髪内部への浸透する事による還元作用によって、毛髪に被されたキューティクルの内部に存在し、毛髪構造の大半の構成要素である毛皮質を構成しているフィブリルと呼ばれる細長い繊維同士を束ねる側鎖を切断し、髪を形状を変化できる状態し、軟化させる。
【００１０】
図１の軟化後の毛髪乾燥作業２で示された通り、前記還元作用によって軟化された後、毛髪に塗布した毛髪還元剤が付着されたままだと毛髪に対して酸化作用が働かない為、前記毛髪に付着された毛髪還元剤を水等でしっかりと洗い流し、タオルやドライヤー等を使用して毛髪に含まれた水分を乾かす。
【００１１】
前記水分を乾かした毛髪に対して加熱整形と酸化作用を同時に行う為、図１の毛髪酸化剤の注入作業３で示された通り毛髪酸化剤を希釈した水溶液を、スチーム機能を備えた加熱式毛髪整形器の水溶液貯蔵タンクに注入する。
【００１２】
希釈した水溶液の毛髪酸化剤を使用するのは、従来毛髪酸化剤は常温で使用する事を目的としている為、加熱による毛髪酸化剤の反応が促進されても毛髪や人体への負担を軽減する為である。
【００１３】
図１のワインディング作業４で示された通り、前記加熱式毛髪整形器によって毛髪のワインディング作業を行い、毛髪を前記加熱式毛髪整形器にワインディングされた状態にする。
【００１４】
図１の加熱式毛髪整形器へのクリップ装着作業５で示された通り、前記ワインディング作業４を実施後、請求項２に記載されている毛髪がワインディングされた加熱式毛髪整形器を包み被せるクリップを利用し、加熱式毛髪整形器にワインディングされた毛髪を包み被せる事によって、防熱効果による火傷を防ぎ、前記加熱式毛髪整形器の水溶液貯蔵タンクに注入しておいた毛髪酸化剤が、加熱によって噴出した毛髪酸化剤の蒸気を毛髪全体へより浸透させる事ができ、均一に低温加熱整形が行える。
【００１５】
図１の加熱と毛髪酸化剤付着の同時作業６で示された通り、前記加熱式毛髪整形器によって毛髪に６０℃〜１００℃程度の加熱を与えながら、前記加熱式毛髪整形器のスチーム機能により毛髪酸化剤を蒸発させて、加熱整形と酸化作用の同時作業によって毛髪の形状記憶化を促進させる。
【００１６】
前記水分を乾かした毛髪に対して、加熱整形と酸化作用を同時に行うが、従来のスチーム機能を備えた加熱式毛髪整形器は水を蒸発させることを目的としており、毛髪酸化剤を蒸発させることによるスチーム効果を行う為には、前記加熱式毛髪整形器に防錆効果のある部品を使用し、防錆処理を施す。
【００１７】
尚、前記加熱式毛髪整形器に防錆効果を施すのは、毛髪酸化剤で過酸化水素水を使用する可能性が高い為である。
【００１８】
図１の自然放置作業７で示された通り、前記毛髪への加熱と酸化作用を数分間行った後、前記加熱式毛髪整形器による加熱とスチームを停止させ、前記加熱式毛髪整形器と前記請求項２に記載のクリップを毛髪から取り外し、しばらく酸化剤が付着されたまま暫く自然放置する。
【００１９】
図１の酸化後の毛髪乾燥作業８で示された通り、前記毛髪に付着された酸化剤を水で洗い流した後、毛髪に含まれた水分を乾かす。
【産業上の利用可能性】
【００２０】
形状記憶パーマでしか再現できないヘアスタイルがあり、その潜在ニーズが多いにも関らず、現在美容室向け販売されている発熱式ワインディングロッドを備えた形状記憶パーマ用器具は、大規模な機材で高価な為に特定の美容室でしか利用されていないけれども、かつて、高価な器具で施術工程が複雑な為に、一部の美容室でしか施術できなかった縮毛矯正ストレートパーマが、後に施術工程が安易で安価なヘアアイロンの普及に伴い、一般的なストレートパーマメニューとして定着していった様に、本考案によって形状記憶パーマでしか再現できないヘアスタイルが、多くの美容室や一般家庭で手軽にメニューとして取り入れることが可能になる為、新たなパーマ客を増大できる可能性がある。
【図面の簡単な説明】
【００２１】
【図１】本発明の請求項１の実施方法の手順である。
【符号の説明】
【００２２】
１    毛髪の軟化作業
２    軟化後の毛髪乾燥作業
３    毛髪酸化剤の注入作業
４    ワインディング作業
５    加熱式毛髪整形器へのクリップ装着作業
６    加熱と毛髪酸化剤付着の同時作業
７    自然放置作業
８    酸化後の毛髪乾燥作業
【図１】
2007330422.tif 000003